(57)【要約】【課題】製作が容易で経済的なプレキャストコンクリート耐力壁及びこの耐力壁を用い、充填式スリーブ工法によらずに容易に施工できる連層耐力壁構造を提供する。【解決手段】プレキャストコンクリート耐力壁の壁体１０の上下の両端部に突出部２１，２２  を形成して配設した異形鉄筋からなる複数本の縦筋２０と、該縦筋の突出部２１，２２  と直交する横筋３０，３１  とを備える。横筋３０，３１  は縦筋の突出部２１，２２  において溶接により縦筋２０に接合される。縦筋の突出部２１，２２  と横筋３０，３１  とが床スラブ５０厚さｈ３  内において定着される。上層のプレキャストコンクリート耐力壁１の下側の縦筋の突出部２２と、下層のプレキャストコンクリート耐力壁１の上側の縦筋の突出部２１とが、床スラブ厚さ内において上下方向に重なり部ｏを形成している。縦筋の突出部２１，２２  に複数本の横筋３０，３１  が方形の格子状となるように配筋され、複数本の横筋３０，３１  が重なり部ｏに位置する。【選択図】      図３
2004270285.tif 000002
【特許請求の範囲】
【請求項１】
壁体に鉄筋が内蔵されたプレキャストコンクリート耐力壁において、
壁体の上下の両端部に突出部を形成して配設した異形鉄筋からなる複数本の縦筋と、該縦筋の突出部と直交する横筋とを備えてなる、プレキャストコンクリート耐力壁。
【請求項２】
前記縦筋の突出部において溶接により縦筋に接合した横筋を備えた、請求項１に記載のプレキャストコンクリート耐力壁。
【請求項３】
予め前記縦筋の突出部において溶接により縦筋に接合した横筋を備えた鉄筋ユニットを用いて構成した、請求項２に記載のプレキャストコンクリート耐力壁。
【請求項４】
前記縦筋の突出部と前記横筋とが床スラブ厚さ内において定着されるようにした、請求項１〜３のいずれかに記載のプレキャストコンクリート耐力壁。
【請求項５】
請求項４に記載のプレキャストコンクリート耐力壁を上下方向に連層してなる連層耐力壁構造であって、上層のプレキャストコンクリート耐力壁の下側の縦筋の突出部と、下層のプレキャストコンクリート耐力壁の上側の縦筋の突出部とが、床スラブ厚さ内において上下方向に重なり部を形成している、連層耐力壁構造。
【請求項６】
前記縦筋の突出部に複数本の横筋が方形の格子状となるように配筋され、前記複数本の横筋が前記重なり部に位置する、請求項５に記載の連層耐力壁構造。
【請求項７】
前記縦筋を壁体内に表裏二層に複配筋してなり、
上層のプレキャストコンクリート耐力壁と下層のプレキャストコンクリート耐力壁とは、壁体内に表裏二層に複配筋した対向する縦筋の層間の間隔がいずれも実質的に同じ長さに形成され、
上層のプレキャストコンクリート耐力壁の下側の縦筋の突出部と、下層のプレキャストコンクリート耐力壁の上側の縦筋の突出部とは、各縦筋が壁体の面に沿う左右方向又は厚さ方向にずれた位置に近接して配設され、前記重なり部を形成している、請求項６に記載の連層耐力壁構造。
【請求項８】
前記重なり部によって、上層のプレキャストコンクリート耐力壁の下側の縦筋と、下層のプレキャストコンクリート耐力壁の上側の縦筋とが応力を伝達する重ね継手を形成している、請求項５〜７のいずれかに記載の連層耐力壁構造。
【請求項９】
前記重なり部において、上層のプレキャストコンクリート耐力壁の縦筋の下側の突出部に設けられた複数本の横筋のうち、最下側の横筋と、下層のプレキャストコンクリート耐力壁の縦筋の上側の突出部に設けられた複数本の横筋のうち、最上側の横筋との間の距離ｏ１内に、平面視、横筋と交叉する差筋が設けられている、請求項５〜８のいずれかに記載の連層耐力壁構造。
【請求項１０】
プレキャストコンクリート耐力壁の壁体に内蔵される鉄筋ユニットであって、複数の異形鉄筋からなる縦筋と、プレキャストコンクリート耐力壁の壁体の上下の両端部に突出部を形成する位置となる縦筋の両端部に溶接により接合した横筋とを備えてなる鉄筋ユニット。
【発明の詳細な説明】
【０００１】
【発明の属する技術分野】
本発明は、プレキャストコンクリート耐力壁及びこの耐力壁を用いた連層耐力壁構造、さらにプレキャストコンクリート耐力壁の壁体に内蔵される鉄筋ユニットに関する。
【０００２】
【従来の技術】
従来、鉄筋を内蔵したプレキャストコンクリート壁を上下に接合する工法として、モルタル充填式スリーブを用いて縦筋の継手部を形成する、モルタル充填式スリーブ工法が知られている。
しかし、この工法によると、施工が簡単ではなく、またモルタル充填式スリーブ自体のコストが高いことに加えてグラウト材料や施工費も高く、全体としてコストが高くなる。
特許文献１には、このような工法によらず、プレキャスト壁の下部に縦方向の切欠きを設け、縦筋は伸ばしておき、予め下階のプレキャスト壁を取着しようとする位置に施工した差し筋に前記プレキャスト壁を建込み、前記プレキャスト壁の切欠き部にコンクリート或いはモルタルを吹きつけてなるプレキャスト壁の接合構造が開示されている。しかし、プレキャスト壁に切欠き部を形成することを必要とし、また、切欠き部にコンクリート或いはモルタルを吹きつけて表面をこて仕上げで平滑にする作業が必要となる。
【０００３】
【特許文献１】
特開平７ー１３９０５３号公報
【０００４】
【発明が解決しようとする課題】
本発明は、製作が容易で経済的なプレキャストコンクリート耐力壁及びこの耐力壁を用い、充填式スリーブ工法によらずに容易に施工できる連層耐力壁構造、さらにプレキャストコンクリート耐力壁の壁体に内蔵される鉄筋ユニットを提供することを目的とする。
【０００５】
【課題を解決するための手段】
本発明は、壁体に鉄筋が内蔵されたプレキャストコンクリート耐力壁において、壁体の上下の両端部に突出部を形成して配設した異形鉄筋からなる複数本の縦筋と、該縦筋の突出部と直交する横筋とを備えてなる、プレキャストコンクリート耐力壁である。
上記プレキャストコンクリート耐力壁においては、前記縦筋の突出部において溶接により縦筋に接合した横筋を備えたものとすることが好ましい。
また、予め前記縦筋の突出部において溶接により縦筋に接合した横筋を備えた鉄筋ユニットを用いて構成したものとすることが好ましい。
また、前記縦筋の突出部と前記横筋とが床スラブ厚さ内において定着されるようにしたものとすることが好ましい。
【０００６】
また、本発明は、上記のようなプレキャストコンクリート耐力壁を上下方向に連層してなる連層耐力壁構造であって、上層のプレキャストコンクリート耐力壁の下側の縦筋の突出部と、下層のプレキャストコンクリート耐力壁の上側の縦筋の突出部とが、床スラブ厚さ内において上下方向に重なり部を形成している、連層耐力壁構造である。
この連層耐力壁構造においては、前記縦筋の突出部に複数本（複数段）の横筋が方形の格子状となるように配筋され、前記複数本の横筋が前記重なり部に位置するものとすることができる。
また、前記縦筋を壁体内に表裏二層に複配筋してなるものとし、上層のプレキャストコンクリート耐力壁と下層のプレキャストコンクリート耐力壁とは、壁体内に表裏二層に複配筋した対向する縦筋の層間の間隔がいずれも実質的に同じ長さに形成され、上層のプレキャストコンクリート耐力壁の下側の縦筋の突出部と、下層のプレキャストコンクリート耐力壁の上側の縦筋の突出部とは、各縦筋が壁体の面に沿う左右方向（壁体の横長さ方向）又は厚さ方向にずれた位置に近接して配設され、前記重なり部を形成しているものとすることができる。
また、前記重なり部によって、上層のプレキャストコンクリート耐力壁の下側の縦筋と、下層のプレキャストコンクリート耐力壁の上側の縦筋とが応力を伝達する重ね継手を形成しているものとすることができる。
また、前記重なり部において、上層のプレキャストコンクリート耐力壁の縦筋の下側の突出部に設けられた複数本の横筋のうち、最下側の横筋と、下層のプレキャストコンクリート耐力壁の縦筋の上側の突出部に設けられた複数本の横筋のうち、最上側の横筋との間の距離ｏ１内に、平面視、横筋と交叉する差筋が設けられているものとすることができる。
【０００７】
また、本発明は、プレキャストコンクリート耐力壁の壁体に内蔵される鉄筋ユニットであって、複数の異形鉄筋からなる縦筋と、プレキャストコンクリート耐力壁の壁体の上下の両端部に突出部を形成する位置となる縦筋の両端部に溶接により接合した横筋とを備えてなる鉄筋ユニットである。
なお、請求項１に係る発明と請求項５に係る発明は特許法第３７条第１号、第２号又は第３号の関係を具備し、請求項１に係る発明と請求項１１に係る発明は特許法第３７条第１号、第２号又は第３号の関係を具備する。
【０００８】
【発明の実施の形態】
本発明の実施の形態について図面を参照して説明する。各図において、同じ構成要素には同じ符号を用い、重複する説明は適宜省略する場合がある。
図１は本発明に係るプレキャストコンクリート耐力壁１の実施例１を示す縦断面図である。
【０００９】
図１に示すとおり、プレキャストコンクリート耐力壁（以下、ＰＣａ耐力壁という）１は、厚さｔ１を有するコンクリート製の壁体１０内に表裏二層に複配筋された複数本の縦筋２０，２０を有している。縦筋２０は、壁体１０の上下の両端部に、夫々長さｈ１，ｈ２を有する突出部２１（図面上側），２２（図面下側）を形成して配設した異形鉄筋からなる。壁体１０の下面は厚さ方向の中心部に向けて壁高さが徐々に高くなるように傾斜面１１を形成している。
【００１０】
壁体１０内の上端部付近には、例えば主筋１６とあばら筋１７を備えてなる梁部１５が内蔵されている。また、壁体１０内には、複数の内蔵横筋４０を備えている。内蔵横筋４０は結束によりあるいは溶接により縦筋２０に接合され、通常、全体として方形の格子状をなすように配筋されるが、特に限定されない。
【００１１】
縦筋２０の一方の突出部２１にはこれと直交する横筋３０が、また、縦筋２０の他方の突出部２２にはこれと直交する横筋３１が、夫々溶接により縦筋２０に接合されている。横筋３０，３１は、夫々壁体１０の上下端面に沿う方向に水平に延び、各縦筋２０に接合されている。横筋３０，３１が接合され、複配筋された対向する縦筋２０，２０は同じ構造で対称的に配置されている。縦筋２０の各突出部２１，２２には、夫々上下に、好ましくは、複数本の横筋３０・３０，３１・３１が方形（矩形）の格子状となるように配筋される（夫々１本の横筋を配筋したものでもよい）。横筋３０・３０間の長さｗ１と横筋３１・３１間の距離ｗ２とは、必ずしも同じである必要はない。
ＰＣａ耐力壁１は、予め縦筋の突出部２１，２２において溶接により縦筋２０に接合した横筋３０，３１を備えた鉄筋ユニット（例えば、１ｍ前後の幅の鉄筋ユニット）を用いて構成するのが望ましい。そのようにすれば、このような鉄筋ユニットを予め鉄筋製造工場で製造しておき、これを現場付近に設置したＰＣａ耐力壁の製作工場あるいは現場ヤードに搬入し、そこでその鉄筋ユニットを適宜の数横に連設して（並べて）、適宜内蔵横筋を配筋し、型枠を用いて１枚のＰＣａ耐力壁１を製作することができ、そのようにすることによりＰＣａ耐力壁１の製作が簡便であり、輸送コストも低減し得る。図２に鉄筋ユニット３の一例を示す。この鉄筋ユニット３は、複数の異形鉄筋からなる縦筋２０と、プレキャストコンクリート耐力壁の壁体の上下の両端部に突出部を形成する位置となる縦筋２０の両端部に溶接により接合した横筋３０・３０，３１・３１とを備えてなる。横筋３０・３０，３１・３１は、各縦筋２０と直交して水平に延びている。鉄筋ユニット３の高さは階高に応じて設定される。鉄筋ユニット３の横長さや横長さにおける縦筋の本数は、必要に応じて設定し得る。通常、このような鉄筋ユニット３を、目的とするＰＣａ耐力壁１の横長さに応じて、適宜の数横に連設してＰＣａ耐力壁１を製作する。連設する各鉄筋ユニット３の横長さや横長さにおける縦筋の本数は、必ずしも同じものでなくてもよい。
なお、横筋３０，３１を設けた方形の格子状をなす鉄筋ユニットは、ＪＩＳ  Ｇ  ３５５１に定める鉄筋格子における溶接点せん断強さを備えたものか、好ましくは２５０Ｎ以上の交点強度を備えたものが使用される。横筋３０，３１は、通常、異形鉄筋で構成されるが、節部のない丸鋼鉄筋を用いてもよい。節部のない丸鋼鉄筋を用いる場合、格子状の鉄筋の製作がより簡便となる。
【００１２】
ＰＣａ耐力壁１の、複配筋された縦筋２０，２０は、いずれも直線状に形成されている。内蔵横筋４０は壁体１０内において、縦筋２０の外側に配設されている。縦筋２０の一方（図面上側）の突出部２１において、横筋３０は、内蔵横筋４０と同様に縦筋２０の外側に接合されている。縦筋２０の他方（図面下側）の突出部２１では、横筋３１は、縦筋２０の内側に接合されている。
【００１３】
図３は、図１に示すＰＣａ耐力壁１を上下方向に連層してなる連層耐力壁構造における上層と下層の接合部を示す。図３の（ａ）は縦断面図、（ｂ）は鉄筋の配置態様を示す正面図、（ｃ）は上下層のＰＣａ耐力壁の配置関係を示す平断面図である。なお、上層のＰＣａ耐力壁１の鉄筋と下層のＰＣａ耐力壁１の鉄筋との関係をわかりやすくするため、上層のＰＣａ耐力壁１の鉄筋は鎖線及び塗りつぶした黒丸で示している。
符号５０は床スラブであり、この実施例では半製品である半ＰＣａ板を用いて構成している。符号５１は打設コンクリート、５３は半製品である半ＰＣａ板、５４は半ＰＣａ板に設けられたトラス筋、５５は床スラブ内鉄筋を示す。縦筋２０の突出部２１，２２と横筋３０，３１とが床スラブ５０厚さ（厚さｈ３）内において定着されている。
上層のＰＣａ耐力壁１の縦筋２０の下側の突出部２２と、下層のＰＣａ耐力壁１の縦筋２０の上側の突出部２１とが、共に床スラブ５０厚さ内において上下方向に重なり部ｏを形成している。
また、縦筋２０の上側の突出部２１及び下側の突出部２２に夫々設けられた複数本の横筋３０・３０，３１・３１は方形の格子状となるように配筋され、この複数本の横筋３０・３０，３１・３１が重なり部ｏに位置している。そして、この重なり部ｏによって、上層のＰＣａ耐力壁１の縦筋２０と、下層のＰＣａ耐力壁１の縦筋２０とが応力を伝達する重ね継手を形成している。
重なり部ｏにおいては、上層のＰＣａ耐力壁１の縦筋２０の下側の突出部２２に設けられた複数本の横筋３１・３１のうち、最下側の横筋３１と、下層のＰＣａ耐力壁１の縦筋２０の上側の突出部２１に設けられた複数本の横筋３０・３０のうち、最上側の横筋３０との間に、距離ｏ１が形成され、この距離ｏ１内に、上層のＰＣａ耐力壁１の縦筋２０の下側の突出部２２に設けられた複数本の横筋３１・３１のうち、最下側の横筋３１ではない他の横筋３１と、下層のＰＣａ耐力壁１の縦筋２０の上側の突出部２１に設けられた複数本の横筋３０・３０のうち、最上側の横筋３０ではない他の横筋３０とが位置する態様となっている。縦筋２０の上側の突出部２１に設けられた複数本の横筋３０・３０と下側の突出部２２に設けられた複数本の横筋３１・３１とは、上下方向において、横筋３０，横筋３１，横筋３０，横筋３１というように交互に位置している。
上記重なり部ｏにおける上下方向の最外側に位置する横筋３０，３１間の距離ｏ１は、通常、１００〜３００ｍｍ、好ましくは１５０〜２００ｍｍ、また、スラブ５０の厚さｈ３に対し、通常、４／５〜２／５、好ましくは３／４〜１／２の範囲である。この場合、重なり部ｏにおける上下方向の最外側に位置する横筋３０，３１間の距離ｏ１は、横筋の直径の約１０倍、また縦筋の直径の５〜１５倍の範囲が好ましい。
【００１４】
上層のＰＣａ耐力壁１と下層のＰＣａ耐力壁１とは、壁体１０内に表裏二層に複配筋した対向する縦筋２０，２０の層間の間隔ｔ２がいずれも実質的に同じ長さに形成されている。ただし、図３（ｂ）（ｃ）に示すとおり、上層のＰＣａ耐力壁１の縦筋２０の下側の突出部２２と、下層のＰＣａ耐力壁１の縦筋２０の上側の突出部２１とは、各縦筋２０の軸心が壁体１０の左右方向（壁体１０の面に沿う左右方向）にずれた位置に近接して配設されており、これによって重なり部ｏを形成している。上層のＰＣａ耐力壁１の縦筋２０下側の突出部２２と、下層のＰＣａ耐力壁１の縦筋２０の上側の突出部２１とは、それらの位置関係において、各縦筋２０，２０の軸心が完全に一致していると、重なり部ｏを形成することができない。実施例１のものは、上層のＰＣａ耐力壁１と下層のＰＣａ耐力壁１とは、各縦筋２０の軸心をずらしているが、基本的に同じ構造であり、同じ鉄筋ユニットを使用して、各ＰＣａ耐力壁１を製作し、これを用いて連層耐力壁構造を構築することができる。なお、ＰＣａ耐力壁１の上下の関係を逆にすることができるのは勿論である。
【００１５】
上記連層耐力壁構造の好ましい構築方法（施工方法）を例示して説明する。
先ず、下層のＰＣａ耐力壁１を立設した後、この下層のＰＣａ耐力壁１の壁体１０の上面両端部に載るように、半製品としての半床（プレキャストコンクリート等の板やデッキ、中空スラブ板等）５３を設置する。
次いで、下層のＰＣａ耐力壁１の上に、上層のＰＣａ耐力壁１を、床スラブ５０が形成される間隔ｈ３を保持して仮設する。このとき、前記のように、上層のＰＣａ耐力壁１の縦筋２０の下側の突出部２２と、下層のＰＣａ耐力壁１の縦筋２０の上側の突出部２１とが、上下方向に重なり部ｏを形成するように仮設する。ＰＣａ耐力壁１と柱の取合いやＰＣａ耐力壁１同士の取合いは、公知の手段を適用でき、特に限定されないため、説明を省略する。
【００１６】
次に、下層のＰＣａ耐力壁１と上層のＰＣａ耐力壁１の間の空隙及び半床５３の上に、コンクリート５１を打設して（適宜配筋をして）床スラブ（全床）５０を形成する。この全床を形成する床スラブ５０の厚さｈ３の中で、上層のＰＣａ耐力壁１の縦筋２０の下側の突出部２２と、下層のＰＣａ耐力壁１の縦筋２０の上側の突出部２１による重なり部ｏが形成され、この重なり部ｏによって、応力を伝達する重ね継手が形成される。
なお、壁体１０の下面は厚さ方向の中心部に向けて壁高さが徐々に高くなるように傾斜面１１を形成しているため、コンクリート５１打設の際、コンクリート充填が確実に行われ、空隙部等の不具合を防止する。
【００１７】
以下、本発明のＰＣａ耐力壁１及び連層耐力壁構造の他の実施例について図４〜図１０を参照して説明する。各図は、連層耐力壁構造における上層と下層の接合部を示すもので、（ａ）は縦断面図、（ｂ）は鉄筋の配置態様を示す正面図、（ｃ）は上下層のＰＣａ耐力壁の配置関係を示す平断面図である。なお、上層のＰＣａ耐力壁１の鉄筋と下層のＰＣａ耐力壁１の鉄筋との関係をわかりやすくするため、上層のＰＣａ耐力壁１の鉄筋は鎖線及び塗りつぶした黒丸で示している。重複記載を避けるため、主として実施例１と相違する点について説明する。
【００１８】
図４に示す実施例２は、上層のＰＣａ耐力壁１と下層のＰＣａ耐力壁１との関係において、横筋３０，３１及び内蔵横筋４０の配置態様を変更したものである。
上層のＰＣａ耐力壁１では、内蔵横筋４０は壁体１０内において縦筋２０の外側に配設され、また、縦筋２０の下側の突出部２２及び上側の突出部２１（図示省略）両方とも、横筋３０は、内蔵横筋４０と同様に縦筋２０の外側に接合されている。
一方、下層のＰＣａ耐力壁１では、内蔵横筋４０は壁体１０内において縦筋２０の内側に配設され、また、縦筋２０の上側の突出部２１及び下側の突出部２２（図示省略）両方とも、横筋３０は、内蔵横筋４０と同様に縦筋２０の内側に接合されている。
このような２種のＰＣａ耐力壁１を交互に積層して連層耐力壁構造を構築することができる。
実施例１と同様、上層のＰＣａ耐力壁１と下層のＰＣａ耐力壁１とは、壁体１０内に表裏二層に複配筋した対向する縦筋２０，２０の層間の間隔ｔ２がいずれも実質的に同じ長さに形成されている。ただし、図４（ｂ）（ｃ）に示すとおり、上層のＰＣａ耐力壁１の縦筋２０の下側の突出部２２と、下層のＰＣａ耐力壁１の縦筋２０の上側の突出部２１とは、各縦筋２０の軸心が壁体１０の左右方向（壁体１０の面に沿う左右方向）にずれた位置に近接して配設されており、これによって重なり部ｏを形成している。
【００１９】
図５に示す実施例３は、実施例１に対し、横筋３０，３１の配置態様を変更したものである。
上層のＰＣａ耐力壁１と下層のＰＣａ耐力壁１とは、基本的に同じ構造であり、上層のＰＣａ耐力壁１、下層のＰＣａ耐力壁１両方とも、内蔵横筋４０は壁体１０内において、縦筋２０の外側に配設されている点は実施例１と同じである。また、表裏二層に複配筋された対向する縦筋２０，２０は同じ構造で対称的に配置されている点も同じであるが、横筋３０，３１の接合態様が対称的ではない。すなわち、ＰＣａ耐力壁１の縦筋２０の上側の突出部２１において、横筋３０は、複配筋された縦筋２０，２０に対し、一方の側の縦筋２０については内側に、他方の側の縦筋２０については外側に、それぞれ接合されている。
また、ＰＣａ耐力壁１の縦筋２０の下側の突出部２２において、横筋３１は、複配筋された縦筋２０，２０に対し、上側の突出部２１の場合とは逆に、一方の側の縦筋２０については外側に、他方の側の縦筋２０については内側に、それぞれ接合されている。
実施例１と同様、上層のＰＣａ耐力壁１と下層のＰＣａ耐力壁１とは、壁体１０内に表裏二層に複配筋した対向する縦筋２０，２０の層間の間隔ｔ２がいずれも実質的に同じ長さに形成されている。ただし、図５（ｂ）（ｃ）に示すとおり、上層のＰＣａ耐力壁１の縦筋２０の下側の突出部２２と、下層のＰＣａ耐力壁１の縦筋２０の上側の突出部２１とは、各縦筋２０の軸心が壁体１０の左右方向（壁体１０の面に沿う左右方向）にずれた位置に近接して配設されており、これによって重なり部ｏを形成している。
【００２０】
図６に示す実施例４は、実施例１と異なり、上層のＰＣａ耐力壁１、下層のＰＣａ耐力壁１両方とも、壁体１０に複配筋される縦筋２０，２０が壁体１０に対して一方の面側に偏心して内蔵されている。偏心の向きは、上層のＰＣａ耐力壁１と下層のＰＣａ耐力壁１とでは反対側となる。
また、上層のＰＣａ耐力壁１、下層のＰＣａ耐力壁１両方とも、内蔵横筋４０は壁体１０内において、縦筋２０の外側に配設され、また、縦筋２０の下側の突出部２２及び上側の突出部２１両方とも、横筋３０は、内蔵横筋４０と同様に縦筋２０の外側に接合されている。上層のＰＣａ耐力壁１と下層のＰＣａ耐力壁１とは、各縦筋２０の軸心をずらしているが、基本的に同じ構造であり、同じ鉄筋ユニットを使用して、各ＰＣａ耐力壁１を製作し、これを用いて連層耐力壁構造を構築することができる。
実施例１と同様、上層のＰＣａ耐力壁１と下層のＰＣａ耐力壁１とは、壁体１０内に表裏二層に複配筋した対向する縦筋２０，２０の層間の間隔ｔ２がいずれも実質的に同じ長さに形成されている。ただし、図６（ｂ）（ｃ）に示すとおり、上層のＰＣａ耐力壁１の縦筋２０の下側の突出部２２と、下層のＰＣａ耐力壁１の縦筋２０の上側の突出部２１とは、各縦筋２０の軸心が壁体１０の厚さ方向にずれた位置に近接して配設されており、これによって重なり部ｏを形成している。
【００２１】
図７に示す実施例５は、縦筋２０の一方（図面上側）の突出部２１の構成は実施例１と同様の構成であるが、縦筋２０の他方（図面下側）の突出部２２の構成が異なっている。上層のＰＣａ耐力壁１と下層のＰＣａ耐力壁１とは、同じ構造である。
ＰＣａ耐力壁１の複配筋された縦筋２０，２０は直線状に形成されておらず、複配筋された対向する縦筋２０，２０は、ＰＣａ耐力壁１の壁体１０の下側の端部において、壁体１０の厚さの中心に向けて屈曲され、壁体１０の外に直線状に突出して突出部２２を形成している。また、縦筋２０の突出部２２において、横筋３１は、縦筋２０の外側に接合されている。壁体１０内に表裏二層に複配筋した対向する縦筋２０，２０の層間の壁体内の間隔ｔ２に対し、突出部２２における対向する縦筋２０，２０の層間の間隔が小さく形成されており、横筋３０，３０を含む突出部２２，２２における幅が、複配筋した対向する縦筋２０，２０の層間の間隔ｔ２内に収まる寸法に形成されている。
上層のＰＣａ耐力壁１と下層のＰＣａ耐力壁１との接合部において、上層のＰＣａ耐力壁１の縦筋２０，２０の下側の突出部２２，２２はいずれも、下層のＰＣａ耐力壁１の縦筋２０，２０の上側の突出部２１，２１間に挿入される態様で配置され、図７（ｂ）（ｃ）に示すとおり、上層のＰＣａ耐力壁１の縦筋２０の下側の突出部２２と、下層のＰＣａ耐力壁１の縦筋２０の上側の突出部２１とは、各縦筋２０の軸心が壁体１０の厚さ方向にずれた位置に近接して配設されており、これによって重なり部ｏを形成している。
【００２２】
図８に示す実施例６は、上記実施例５のＰＣａ耐力壁１の上下の関係を逆にしたものである。
ＰＣａ耐力壁１の縦筋２０，２０をその上側の端部において、梁型（梁部１５）を形成しているせん断補強筋（あばら筋１７）の内側に折り曲げて梁型（梁部１５）の主筋１６，１６間を通して上方に伸ばし、壁体１０の外に直線状に突出する突出部２１，２１を形成している。
上層のＰＣａ耐力壁１と下層のＰＣａ耐力壁１との接合部において、下層のＰＣａ耐力壁１の縦筋２０，２０の上側の突出部２１，２１はいずれも、上層のＰＣａ耐力壁１の縦筋２０，２０の下側の突出部２２，２２間に挿入される態様で配置され、図８（ｂ）（ｃ）に示すとおり、上層のＰＣａ耐力壁１の縦筋２０の下側の突出部２２と、下層のＰＣａ耐力壁１の縦筋２０の上側の突出部２１とは、各縦筋２０の軸心が壁体１０の厚さ方向にずれた位置に近接して配設されており、これによって重なり部ｏを形成している。
【００２３】
図９に示す実施例７は、前記実施例５に変形を加えたものである。
ＰＣａ耐力壁１の複配筋された対向する縦筋２０，２０は、ＰＣａ耐力壁１の壁体１０の下側の端部において、実施例４よりもさらに絞りこまれた形で、壁体１０の厚さの中心に向けて屈曲され、壁体１０の外に直線状に突出して突出部２２を形成している。
また、壁体１０内に表裏二層に複配筋した対向する縦筋２０，２０は、図９（ｂ）（ｃ）に示すとおり、その平面形において対称に配置されておらず、ピッチをずらして非対称に配設されている。そして、突出部２２における対向する（図面左右の）縦筋２０，２０は、壁体１０の厚さのほぼ中心位置においてほぼ同一平面上に位置するように配設されている。
【００２４】
図１０に示す実施例８は、前記実施例２に変形を加えたものである。
実施例２のものは、壁体１０内に表裏二層に複配筋した対向する縦筋２０，２０は、上層のＰＣａ耐力壁１と下層のＰＣａ耐力壁１との関係において、各縦筋２０の軸心が壁体１０の左右方向（壁体１０の面に沿う左右方向）にずれた位置に近接して配設されているのに対し、実施例６では、壁体１０内における位置関係では軸心が一致している点で異なっている。
そして、この実施例８のものは、縦筋２０，２０は直線状に形成されておらず、縦筋２０の一方（図面上側）の突出部２１及び縦筋２０の他方（図面下側）の突出部２２の構成が実施例２と異なっている。すなわち、実施例８では、複配筋された対向する縦筋２０，２０は、ＰＣａ耐力壁１の壁体１０の下側の端部近傍で、壁体１０の厚さの中心に向けて屈曲され、壁体１０の外に突出して突出部２２を形成している。また、複配筋された対向する縦筋２０，２０は、ＰＣａ耐力壁１の壁体１０の上側の端部近傍で、壁体１０の厚さの外側に向けて屈曲され、壁体１０の外に突出して突出部２１を形成している。
上層のＰＣａ耐力壁１と下層のＰＣａ耐力壁１との接合部において、上層のＰＣａ耐力壁１の縦筋２０，２０の下側の突出部２２，２２はいずれも、下層のＰＣａ耐力壁１の縦筋２０，２０の上側の突出部２１，２１間に挿入される態様で配置され、図７（ｂ）（ｃ）に示すとおり、上層のＰＣａ耐力壁１の縦筋２０の下側の突出部２２と、下層のＰＣａ耐力壁１の縦筋２０の上側の突出部２１とは、各縦筋２０の軸心が壁体１０の厚さ方向にずれた位置に近接して配設されており、これによって重なり部ｏを形成している。なお、ＰＣａ耐力壁１の上下の関係を逆にすることができるのは勿論である。
【００２５】
なお、上記実施例８において、上層のＰＣａ耐力壁１と下層のＰＣａ耐力壁１とは、壁体１０内に表裏二層に複配筋した対向する縦筋２０，２０の層間の間隔ｔ２がいずれも実質的に同じ長さに形成されているが、壁体１０内に表裏二層に複配筋した対向する縦筋２０，２０の層間の間隔ｔ２について、上層のＰＣａ耐力壁１と下層のＰＣａ耐力壁１のいずれか一方を小さく形成し、両ＰＣａ耐力壁１の壁体１０内に表裏二層に複配筋した対向する縦筋２０，２０を直線状に形成して突出部２１，２２で屈曲させないように構成し、上層のＰＣａ耐力壁１と下層のＰＣａ耐力壁１との接合部において、上層のＰＣａ耐力壁１の縦筋２０，２０の下側の突出部２２，２２が、下層のＰＣａ耐力壁１の縦筋２０，２０の上側の突出部２１，２１間に挿入される態様あるいはその逆の態様で配置されるようにしてもよい。
【００２６】
本発明は上記の実施の形態に限定されるものではなく、本発明の要旨の範囲で種々の変形、付加等が可能である。
前記実施例に示したものの他、これらの各実施例を組み合わせたもの等のバリエーションが可能である。縦筋２０が複配筋されたＰＣａ耐力壁を示して説明したが、シングル筋にも適用することができる。また、横筋３０，３１が壁体１０の上下端面に沿う方向（壁体の横長さ方向）に配設されたＰＣａ耐力壁を示して説明したが、横筋３０，３１は突出部に直交する方向であれば、例えば、壁体１０の厚さ方向に伸びるように形成されたものでもよい。この場合、縦筋２０の端部を横方向に屈曲形成することにより、この屈曲形成された部分が横筋となるように構成してもよい。
【００２７】
図１１は、図３に示した連層耐力壁構造に対して付加的構成を備えた連層耐力壁構造における上層と下層の接合部を縦断面図で示すものである。図１２は、この連層耐力壁構造における接合部の鉄筋の配置態様を模式的に示す平断面図である。
図１１に示す連層耐力壁構造では、重なり部ｏにおいて、上層のＰＣａ耐力壁１の縦筋２０の下側の突出部２２に設けられた複数本の横筋３１・３１のうち、最下側の横筋３１と、下層のＰＣａ耐力壁１の縦筋２０の上側の突出部２１に設けられた複数本の横筋３０・３０のうち、最上側の横筋３０との間に、形成された距離ｏ１内に、平面視、横筋３０，３１と交叉する差筋６０が設けられている。図示の例では、差筋６０は、横筋３０，３１と直交する方向に形成されている。差筋６０は、縦筋２０，２０と直交して床スラブ５０厚さ内で定着されている。また、差筋６０は、Ｕ字形をなしており、一対の差筋６０，６０を夫々壁体１０の両側方向から差し込んで互いに近接させて設けている。もっとも、差筋６０は、このようなＵ字形のものでなく直線状の棒状体等であってもよい。差筋６０を一のＰＣａ耐力壁１に対して設ける本数及びその配設ピッチは必要に応じて適宜設定し得る。差筋６０は、例えば、下層のＰＣａ耐力壁１の上に、上層のＰＣａ耐力壁１を仮設した後、コンクリート５１を打設する前に配設する。差筋６０は、例えば縦筋２０等に針金で結束して固定すればよい。差筋６０は、横筋３０又は３１上に載る態様で配置できるので、所定位置に固定しやすい。
壁体１０の上下端面に沿う方向に水平に延びる横筋３０，３１に加えて、横筋３０，３１と交叉する差筋６０が、床スラブ５０厚さｈ３内において定着され、壁体１０の上下端面に沿う方向のみならず壁体１０の厚さ方向にも広がりを有する継手構造となり、上層と下層のＰＣａ耐力壁１間に、より大きな伝達力を確実に生じさせることができる。上記のような差筋６０は、前述した各実施例２〜８に適用することもできる。
【００２８】
【発明の効果】
請求項１に係る発明によれば、突出部を形成した縦筋と、該縦筋の突出部と直交する横筋とを床スラブ厚さ内に簡単かつ確実に定着することができ、ＰＣａ耐力壁の製作も容易で経済的である。連層耐力壁構造を構築するのに好適である。請求項２に係る発明によれば、縦筋の突出部において溶接により縦筋に接合した横筋を備えてなるため、鉄筋の壁体の厚さ方向への突出を避けることができ、施工しやすい。
請求項３に係る発明によれば、予め縦筋の突出部において溶接により縦筋に接合した横筋を備えた鉄筋ユニットを用いて構成したため、例えば、このような鉄筋ユニットを予め工場で製造しておき、これを現場に搬入し、現場ヤードでその鉄筋ユニットを横に連設して、適宜内蔵横筋を配筋し、型枠を用いて１枚のＰＣａ耐力壁１を製作することができ、ＰＣａ耐力壁の製作が簡便であり、輸送コストも低減し得る。
請求項４に係る発明によれば、差し筋を別途設ける必要がなく、縦筋の突出部と横筋とが床スラブ厚さ内において定着される。
請求項５に係る発明によれば、上層のＰＣａ耐力壁の下側の縦筋の突出部と、下層のＰＣａ耐力壁の上側の縦筋の突出部とが、床スラブ厚さ内において上下方向に重なり部を形成しているため、充填式スリーブ工法によらずに容易かつ確実に連層耐力壁構造を構築することができる。
請求項６に係る発明によれば、縦筋の突出部に複数本の横筋が方形の格子状となるように配筋され、複数本の横筋が重なり部に位置するため、上層と下層の縦筋の相互定着がより確実となる。
請求項７に係る発明によれば、縦筋を壁体内に表裏二層に複配筋して耐力の高い強固な連層耐力壁構造が構築され、上層のＰＣａ耐力壁と下層のＰＣａ耐力壁とは、壁体内に表裏二層に複配筋した対向する縦筋の層間の間隔がいずれも実質的に同じ長さに形成され、上層のＰＣａ耐力壁の下側の縦筋の突出部と、下層のＰＣａ耐力壁の上側の縦筋の突出部とは、各縦筋が壁体の面に沿う左右方向又は厚さ方向にずれた位置に近接して配設され、重なり部を形成しているため、複配筋した対向する縦筋を有しながらも、施工が容易であり、かつ耐力の高い強固な連層耐力壁構造を構築することができる。
請求項８に係る発明によれば、重なり部によって、上層のＰＣａ耐力壁の下側の縦筋と、下層のＰＣａ耐力壁の上側の縦筋とが応力を伝達する重ね継手を形成しているため、機械式継手によらず、ＰＣａ耐力壁の上層・下層間の強固な継手構造が形成される。
請求項９に係る発明によれば、横筋に加えて、横筋と交叉する差筋が、床スラブ厚さ内において定着され、壁体の上下端面に沿う方向及び壁体の厚さ方向の両方に広がる継手構造となり、上層と下層のＰＣａ耐力壁間に、より大きな伝達力を確実に生じさせることができる。
請求項１０に係る発明によれば、複数の異形鉄筋からなる縦筋と、少なくともＰＣａ耐力壁の壁体の上下の両端部に突出部を形成する位置となる縦筋の両端部に溶接により接合した横筋とを備えてなるため、連層耐力壁構造を構築するのに好適な、製作が容易で経済的なＰＣａ耐力壁の壁体に内蔵される鉄筋ユニットが提供される。
【図面の簡単な説明】
【図１】本発明に係るＰＣａ耐力壁１の実施例１を示す縦断面図である。
【図２】鉄筋ユニット３の正面図である。
【図３】実施例１のＰＣａ耐力壁１を上下方向に連層してなる連層耐力壁構造における上層と下層の接合部を示すもので、（ａ）は縦断面図、（ｂ）は鉄筋の配置態様を示す正面図、（ｃ）は上下層のＰＣａ耐力壁の配置関係を示す平断面図である。
【図４】ＰＣａ耐力壁１を上下方向に連層してなる連層耐力壁構造の実施例における上層と下層の接合部を示すもので、（ａ）は縦断面図、（ｂ）は鉄筋の配置態様を示す正面図、（ｃ）は上下層のＰＣａ耐力壁の配置関係を示す平断面図である。
【図５】ＰＣａ耐力壁１を上下方向に連層してなる連層耐力壁構造の実施例における上層と下層の接合部を示すもので、（ａ）は縦断面図、（ｂ）は鉄筋の配置態様を示す正面図、（ｃ）は上下層のＰＣａ耐力壁の配置関係を示す平断面図である。
【図６】ＰＣａ耐力壁１を上下方向に連層してなる連層耐力壁構造の実施例における上層と下層の接合部を示すもので、（ａ）は縦断面図、（ｂ）は鉄筋の配置態様を示す正面図、（ｃ）は上下層のＰＣａ耐力壁の配置関係を示す平断面図である。
【図７】ＰＣａ耐力壁１を上下方向に連層してなる連層耐力壁構造の実施例における上層と下層の接合部を示すもので、（ａ）は縦断面図、（ｂ）は鉄筋の配置態様を示す正面図、（ｃ）は上下層のＰＣａ耐力壁の配置関係を示す平断面図である。
【図８】ＰＣａ耐力壁１を上下方向に連層してなる連層耐力壁構造の実施例における上層と下層の接合部を示すもので、（ａ）は縦断面図、（ｂ）は鉄筋の配置態様を示す正面図、（ｃ）は上下層のＰＣａ耐力壁の配置関係を示す平断面図である。
【図９】ＰＣａ耐力壁１を上下方向に連層してなる連層耐力壁構造の実施例における上層と下層の接合部を示すもので、（ａ）は縦断面図、（ｂ）は鉄筋の配置態様を示す正面図、（ｃ）は上下層のＰＣａ耐力壁の配置関係を示す平断面図である。
【図１０】ＰＣａ耐力壁１を上下方向に連層してなる連層耐力壁構造の実施例における上層と下層の接合部を示すもので、（ａ）は縦断面図、（ｂ）は鉄筋の配置態様を示す正面図である。
【図１１】本発明の実施の形態である連層耐力壁構造における上層と下層の接合部の縦断面図である。
【図１２】図１１に示す連層耐力壁構造における接合部の鉄筋の配置態様を模式的に示す平断面図である。
【符号の説明】
１  ＰＣａ耐力壁
３  鉄筋ユニット
１０  壁体
２０  縦筋
２１，２２  縦筋の突出部
３０，３１  横筋
４０  内蔵横筋
５０  床スラブ
ｏ  重なり部
【図１】
2004270285.tif 000003
【図２】
2004270285.tif 000004
【図３】
2004270285.tif 000005
【図４】
2004270285.tif 000006
【図５】
2004270285.tif 000007
【図６】
2004270285.tif 000008
【図７】
2004270285.tif 000009
【図８】
2004270285.tif 000010
【図９】
2004270285.tif 000011
【図１０】
2004270285.tif 000012
【図１１】
2004270285.tif 000013
【図１２】
2004270285.tif 000014